(57)【要約】【課題】  雨漏りを生じるおそれが無く、風圧や積雪等による屋根上配線の遊動、及びこれによる屋根上配線の抜けや破断を防止し得る屋根上配線構造を提供する。【解決手段】  太陽電池パネルに通電、接続する屋根上配線１と、相互に連結、固定された複数の屋根瓦２と、この屋根瓦２の軒先側端部３に沿って配設された前記屋根上配線１を係止する配線係止部４を有する配線保持具５とを備えた屋根上配線構造であって、配線保持具５が、屋根瓦２の直下に重合する第二の屋根瓦２ａの棟側端縁６ａに当接、掛止する瓦上端掛止用切起し片７を有するので、ビス止め等が不要で雨漏りを生じるおそれが無く、配線係止部４により屋根上配線１が拘束されるので、風圧や積雪等による屋根上配線の遊動、及びこれによる屋根上配線の抜けや破断を防止し得ることとなる。【選択図】図１
2005264640.tif 000002
【特許請求の範囲】
【請求項１】
太陽電池パネルに通電、接続する屋根上配線と、相互に連結、固定された複数の屋根瓦と、前記屋根瓦の軒先側端部に沿って配設された前記屋根上配線を係止する配線係止部を有する配線保持具と、を備えた屋根上配線構造であって、前記配線保持具が、前記屋根瓦の直下に重合する第二の屋根瓦の棟側端縁に当接、掛止する瓦上端掛止用切起し片を具備することを特徴とする屋根上配線構造。
【請求項２】
前記瓦上端掛止用切起し片が、前記配線保持具の屋根裏面方向に凸の屈曲部を具備することを特徴とする請求項１記載の屋根上配線構造。
【請求項３】
前記瓦上端掛止用切起し片が、前記屈曲部よりも先端側に前記配線保持具の屋根表面方向に凸の第二の屈曲部を具備するとともに、前記瓦上端掛止用切起し片の先端部を、前記配線保持具の屋根裏面方向に凸の屈曲部よりも前記配線保持具の配線保持具本体に近接して形成することを特徴とする請求項２記載の屋根上配線構造。
【発明の詳細な説明】
【技術分野】
【０００１】
本発明は、屋根上等に設置する太陽電池パネルに通電、接続する配線の屋根上配線構造に関するものである。
【背景技術】
【０００２】
従来より、太陽エネルギーの有効利用の一環として、家屋の屋根上等に太陽電池パネル１２（後述の図５参照）を設置することが行われているが、このような屋根上等に設置する太陽電池パネル１２に通電、接続する屋根上配線１の屋根上配線構造としては、従来例として、図５に示すような形態のものを例示することができる。その一方、かかる屋根上配線構造においては、屋根上配線１の露出部ができ易く、かかる屋根上配線１の露出部では、図５に示すように露出した屋根上配線１を針金等で縛り、屋根面上にビス１３でビス止めするのが通例であった。この場合、既存の屋根にビス止めする際には、充分な屋根の雨漏り対策が必要となる。すなわち、既存瓦の上から、屋根上配線１を保持する部材を直接ビス止め等の方法で固定すると、ビス部分から雨水が浸入し、雨漏りを生じるおそれがある。さらに、コーキング等の防水材で処理した場合においても、重なった既存瓦の部分からの雨水浸入防止に留意する必要がある。
【０００３】
一方、ビス止め等によらない屋根上配線構造としては、例えば、特開平７−１１９３３５号公報において開示された融雪用ヒータ線の屋根上配線構造を例示することができる。しかし、この場合においても、屋根上配線構造が、屋根上配線と、屋根瓦の軒先側端部に沿って配設された屋根上配線を係止する配線係止部を有する配線保持具とを備え、この配線保持具が、その軒先側端部に沿って配線された屋根瓦の直下に重合する第二の屋根瓦の棟側端縁に掛止する掛止部を有するものではあるが、その掛止部が、その配線保持具の上端部に形成した垂直片であるために、上記第二の屋根瓦の棟側端縁に掛止する際に、相当の労力を要する一方、上記第二の屋根瓦の棟側端縁から外れ易い等の問題点を有するものであった。
【特許文献１】特開平７−１１９３３５号公報
【発明の開示】
【発明が解決しようとする課題】
【０００４】
本願発明は、上記背景技術に鑑みて発明されたものであり、その課題は、雨漏りを生じるおそれが無く、風圧や積雪等による屋根上配線の遊動、及びこれによる屋根上配線の抜けや破断を防止し得る屋根上配線構造を提供することである。
【課題を解決するための手段】
【０００５】
上記課題を解決するために、請求項１に係る発明の屋根上配線構造にあっては、太陽電池パネルに通電、接続する屋根上配線と、相互に連結、固定された複数の屋根瓦と、前記屋根瓦の軒先側端部に沿って配設された前記屋根上配線を係止する配線係止部を有する配線保持具と、を備えた屋根上配線構造であって、前記配線保持具が、前記屋根瓦の直下に重合する第二の屋根瓦の棟側端縁に当接、掛止する瓦上端掛止用切起し片を具備することを特徴とするものである。
【０００６】
請求項２に係る発明の屋根上配線構造にあっては、請求項１記載の屋根上配線構造において、前記瓦上端掛止用切起し片が、前記配線保持具の屋根裏面方向に凸の屈曲部を具備することを特徴とするものである。
【０００７】
請求項３に係る発明の屋根上配線構造にあっては、請求項２記載の屋根上配線構造において、前記瓦上端掛止用切起し片が、前記屈曲部よりも先端側に前記配線保持具の屋根表面方向に凸の第二の屈曲部を具備するとともに、前記瓦上端掛止用切起し片の先端部を、前記配線保持具の屋根裏面方向に凸の屈曲部よりも前記配線保持具の配線保持具本体に近接して形成することを特徴とするものである。
【発明の効果】
【０００８】
本願発明の屋根上配線構造では、太陽電池パネルに通電、接続する屋根上配線と、相互に連結、固定された複数の屋根瓦と、前記屋根瓦の軒先側端部に沿って配設された前記屋根上配線を係止する配線係止部を有する配線保持具と、を備えた屋根上配線構造であって、前記配線保持具が、前記屋根瓦の直下に重合する第二の屋根瓦の棟側端縁に当接、掛止する瓦上端掛止用切起し片を具備するので、雨漏りを生じるおそれが無く、風圧や積雪等による屋根上配線の遊動、及びこれによる屋根上配線の抜けや破断を防止し得るのみならず、上記第二の屋根瓦の棟側端縁への当接、掛止作業の容易化を図ることができることとなる。
【発明を実施するための最良の形態】
【０００９】
以下、本発明の実施形態を図面に基づき説明する。なお、本発明の屋根上配線構造は、下記の実施形態にのみ限定されるものではなく、本発明の要旨を逸脱しない範囲内において種々変更を加え得ることは勿論である。ここで、図１は、本願発明の一実施形態である屋根上配線構造の概略を模式的に示す図である。なお、図２は、本願発明の一実施形態である屋根上配線構造の施工の様子を模式的に示す図である。
【００１０】
すなわち、図１、図２に示すように、本実施形態の屋根上配線構造は、太陽電池パネル１２（図５参照）に通電、接続する屋根上配線１と、相互に連結、固定された複数の屋根瓦２と、この屋根瓦２の軒先側端部３に沿って配設された屋根上配線１を係止する配線係止部４を有する配線保持具５とを備えるものである。
【００１１】
一方、配線保持具５は、図１、図２、図３及び図４に示すように、前記屋根瓦２の直下に重合する第二の屋根瓦２ａの棟側（上側）端縁６ａに当接、掛止する瓦上端掛止用切起し片７を具備するものである。なお、ここで、図３は、配線保持具５の構成の概略を示す斜視図である。また、図４は、配線保持具５の構成の概略を示すもので、（ａ）は、側面図、（ｂ）は、上面図である。
【００１２】
この結果、本実施形態の屋根上配線構造では、太陽電池パネル１２に通電、接続する屋根上配線１と、相互に連結、固定された複数の屋根瓦２と、この屋根瓦２の軒先側端部３に沿って配設された前記屋根上配線１を係止する配線係止部４を有する配線保持具５とを備えた屋根上配線構造であって、配線保持具５が、屋根瓦２の直下に重合する第二の屋根瓦２ａの棟側端縁６ａに当接、掛止する瓦上端掛止用切起し片７を有するので、ビス止め等が不要で雨漏りを生じるおそれが無く、配線係止部４により屋根上配線１が拘束されるので、風圧や積雪等による屋根上配線の遊動、及びこれによる屋根上配線の抜けや破断を防止し得ることとなる。さらに、前記第二の屋根瓦２ａの棟側端縁６ａに当接、掛止するのが、瓦上端掛止用切起し片７であるので、配線保持具５自体を全体として薄い板厚で形成でき、上記第二の屋根瓦の棟側端縁への当接、掛止作業の容易化を図ることができることとなる。
【００１３】
また、本実施形態の屋根上配線構造における配線保持具５の瓦上端掛止用切起し片７は、図３、図４に示すように、配線保持具５の屋根裏面方向に凸の屈曲部８を具備するものである。さらに、本実施形態の屋根上配線構造における配線保持具５の瓦上端掛止用切起し片７は、図３、図４に示すように、前記屈曲部８よりも先端側に配線保持具５の屋根表面方向に凸の第二の屈曲部９を具備し、且つ、瓦上端掛止用切起し片７の先端部１０を、配線保持具５の屋根裏面方向に凸の屈曲部８よりも配線保持具５の配線保持具本体１１に近接して形成するものである。
【００１４】
この結果、本実施形態の屋根上配線構造では、配線保持具５の瓦上端掛止用切起し片７が屈曲部８を有し、さらに、この屈曲部８よりも瓦上端掛止用切起し片７の先端側に配線保持具５の屋根表面方向に凸の第二の屈曲部９を具備しているので、瓦上端掛止用切起し片７の先端部１０が前方を向いており、引っ張り力が働いても瓦上端掛止用切起し片７の掛止が外れにくくなる一方、屈曲部８よりも瓦上端掛止用切起し片７の先端側に配線保持具５の屋根表面方向に凸の第二の屈曲部９を具備し、且つ、瓦上端掛止用切起し片７の先端部１０を、屈曲部８よりも配線保持具本体１１に近接して形成しているので、屋根面（野路面）上には屈曲部８が接触することにより、瓦上端掛止用切起し片７の先端部１０の屋根面への接触を防止でき、屋根面上のルーフィング等の防水シートを傷つける惧れを回避できることとなる。
【図面の簡単な説明】
【００１５】
【図１】本願発明の一実施形態である屋根上配線構造の概略を模式的に示す図である。
【図２】本願発明の一実施形態である屋根上配線構造の施工の様子を模式的に示す図である。
【図３】本願発明の一実施形態である屋根上配線構造における配線保持具の構成の概略を示す斜視図である。
【図４】本願発明の一実施形態である屋根上配線構造における配線保持具の構成の概略を示すもので、（ａ）は、側面図、（ｂ）は、上面図である。
【図５】従来例に係る屋根上配線構造の概略を模式的に示す斜視図である。
【符号の説明】
【００１６】
１    屋根上配線
２    屋根瓦
２ａ  第二の屋根瓦
３    軒先側端部（屋根瓦２）
３ａ  軒先側端部（第二の屋根瓦２ａ）
４    配線係止部（配線保持具５）
５    配線保持具
６    棟側端縁（屋根瓦２）
６ａ  棟側端縁（第二の屋根瓦２ａ）
７    瓦上端掛止用切起し片（配線保持具５）
８    屈曲部（瓦上端掛止用切起し片７）
９    第二の屈曲部（瓦上端掛止用切起し片７）
１０    先端部（瓦上端掛止用切起し片７）
１１    配線保持具本体（配線保持具５）
１２    太陽電池パネル
１３    ビス
【図１】
2005264640.tif 000003
【図２】
2005264640.tif 000004
【図３】
2005264640.tif 000005
【図４】
2005264640.tif 000006
【図５】
2005264640.tif 000007